(57)【要約】      （修正有）【課題】暗がりで足元の障害物や段差の見落としに起因する転倒、転落事故等杖使用者の事故防止に役立つ安価にして明るい杖用照明具を提供する。【解決手段】電池４とステップアップ回路と電源スイッチ３からなる本体ボックス１と本体に設けたＬＥＤ光源２と杖のシャフトＴＳに装着するための杖装着部１Ｑｃからなる。感圧スイッチの外部シャフトの先端が非接地、接地することによりバネが伸張、圧縮してスイッチ端子をＯＮ、非接触でＯＦＦとなる感圧スイッチを設けてＬＥＤ光源を点灯、消灯させることをしてもよい。【選択図】図２
0003191028.tif 000002
【実用新案登録請求の範囲】
【請求項１】
電池とステップアップ回路と電源スイッチからなる本体ボックスと本体に設けたＬＥＤ光源と杖に装着するための杖装着部からなることを特徴とする杖用照明具。
【請求項２】
感圧スイッチの外部シャフトの先端が非接地、接地することによりバネが伸張，圧縮してスイッチ端子をＯＮ、非接触でＯＦＦとなる感圧スイッチを設けてＬＥＤ光源を点灯、消灯させることを特徴とする請求項1記載の杖用照明具。  
【請求項３】
ＬＥＤ光源が常灯、必要時点灯の2種類有ることを特徴とする請求項１又は２に記載の杖用照明具。
【請求項４】
請求項１〜３に記載の杖用照明具を有する事を特徴とする杖。  
【考案の詳細な説明】
【技術分野】
【０００１】
本考案は、杖用照明具に関する。
【背景技術】
【０００２】
歩行時に杖を必要とする人達が遭遇する事故の内、暗がりで足元の障害物や段差の見落としに起因する転倒、転落事故の発生件数が多発しており、特に事故率が高い高齢者用の事故予防対策として、杖使用者の存在確認と足元照明となる発光機能を備えた光る杖や転倒時の音声表示機を備えた杖（実公平７−９７８）等が作られている。
上記光る杖は、ハンドル部から前方を照射する物、あるいは杖シャフトの下部が発光する物（特開２００２−２６２９１３）等があるが、前者は光源と照射位置が離れているため照度不足気味で見難い等の問題があり、後者もシャフト中心の３６０度の照明となるため、杖の突き先位置確認用の照明としては不満があると言われている。
【０００３】
さらにけが人や障害者が使う松葉杖に照明が付いたものは見かけた事がない。
上記杖類が杖の突き先の安全確認を主な用途とすれば、杖を突くのに必要な比較的狭い
範囲を明るく照らす事ができる節電型の安価なものが求められている事に成る。
【０００４】
従来の光る杖は予め光る杖として設計、商品化されたものを購入するため高価な物であり、また、老人用のステッキやウォーキング用のストックから松葉杖他多品種の杖に後加工で光る杖化できる杖用の照明具、例えば使用中の杖の通称ゴム足と呼ばれる部分の上にバネ状のクリップやベルトで止め付けする等の簡単な加工で光る杖に出来る経済的で便利な杖用の照明具が求められていた。  
【先行技術文献】
【特許文献】
【０００５】
【特許文献１】特開２０１０−０６３８６８号公報
【特許文献２】特開２００２−２６２９１３号公報
【特許文献３】実公平７−９７８号公報
【考案の概要】
【考案が解決しようとする課題】
【０００６】
本考案は、低価格で簡単に装着できるもので、前方と杖突き先の状態を目視、確認し易く省電力で明るく安価な杖用照明具の開発を課題とする。
【課題を解決するための手段】
【０００７】
上記課題を解決するため本考案は、光源と発光回路と電源スイッチと開閉自在の蓋と電池格納用の電池ボックスを有する本体とにより節電型にして取付けが簡単な照明具と為し、例えば該照明具を杖先にベルトで止めて光る杖化することにより、杖の突き先の安全確認ができて使用者が使い易い安価な杖用照明具を提供する。
【０００８】
杖用照明具は防水型が好ましい。
発光部および本体は単一素材で形成するのが好ましいが、複数素材を組合せてもよい。
照明具は、樹脂材やゴム材等の弾性材が好ましいが、他の素材を用いてもよい。
本体は、分割可能な構造が好ましいが一体形でもよい。  
照明具は、電源スイッチを用いるのが好ましいが、用いなくてもよい。
感圧スイッチは、リードスイッチを用いるのが好ましいが、機械式スイッチ等を用いてもよい。
照明具は、電池交換可能型が好ましいが、交換が出来なくてもよい。
照明具は、杖シャフトの先端付近に設けるのが好ましい。
電池は、一次電池が好ましいが、二次電池を用いてもよい。
光源は、ＬＥＤが好ましいが、他の物でもよい。
光源は、単数使用が好ましいが複数使用してもよい。
光源には、反射鏡あるいは導光体を併用するのが好ましいが、使わなくてもよい。
点灯回路には、ステップアップ回路を用いるのが好ましいが、用いなくてもよい。
点灯回路には、電流帰還制御回路を用いるのが好ましいが、用いなくてもよい。
杖シャフトの装着は、杖装着部にベルト止めがするのが好ましいが、クリップ止め等他の装着方法でもよい。
杖装着部と杖シャフトの装着は、接着剤や接着機能を有する各種テープを用いて補強するのが好ましいが、補強しなくてもよい。
【考案の効果】
【０００９】
本考案の照明具は、発光機能のない杖を簡単な改造で光る杖化して、前方を明るく照らして杖突位置の安全を確認するもので、本改造により夜間や雨中における不適当な場所への杖突きに起因する事故の予防効果を有する。
【図面の簡単な説明】
【００１０】
【図１】実施例１、杖用照明具１００の斜視図
【図２】図１u−ｕ’の断面図
【図３】実施例１の回路図
【図４】実施例２、杖用照明具２００の斜視図
【図５】（イ）図４V−V’の接地状態の断面図（ロ）図４V−V’の非接地状態の断面図
【図６】実施例２の回路図
【図７】実施例３、杖用照明具３００の斜視図
【図８】実施例３の回路図
【考案を実施するための形態】
【００１１】
以下、図面を使って説明する。
図１は杖用照明具１００の斜視図、図2は図１ｕ−ｕ´の断面図、図３は回路図である。
実施例１の杖用照明具１００は、ＬＥＤ光源２と防滴カバーを有する電源スイッチ３とステップアップ回路５を有する発光回路とヒンジ１Ｐを軸に開閉する蓋１Ｆと、電池４を格納し後部に杖装着部1Qｃと補助ベルト用の穴１Ｂｓa、１Ｂｓbとを有する本体ボックス１により概略構成する。
杖用照明具１００は、杖シャフトＴＳを内部がＣ字形でバネ性を有するクリップ状の杖装着部1Qｃに装着する（以下、これをクリップ止めと言う。）杖用照明具で、発光機能のない杖に杖用照明具１００を装着して光る杖化した後、前記電源スイッチ３をＯＮしてから終了のＯＦＦまで点灯して（以下、これを常灯と言う。）使用するものである。
【００１２】
杖用照明具１００は、ＬＥＤ光源２と、防滴カバーを備えた電源スイッチ３と、前記発光回路を備えた蓋部１Ｆと、電池４と電池ボックスを兼ねた本体ボックス１で構成する単純な構造にして低価格化を図ったもので、前記クリップ止めすることにより取付けの手間を減らすと共に、形状の異なる多種類の杖に取付ける事ができる安価で経済的なものである。
なお、本体後部にある穴１Ｂｓａ、１Ｂｓｂは杖形状によりクリップ止めの強度不足が生じた時に用いる補助ベルト（図示せず）用のベルト穴である。
また、ステップアップ回路５は、電池の電圧降下の影響を減らして光源輝度の安定化と、持続化を図るものである。
上記杖用照明具１００は、発光機能のない多種類の杖を光る杖化して前記事故を予防するものである。
なお、杖用照明具１００は、下記照明具２００同様に電源スイッチを省いて、下記絶縁フィルム２３Ｊ（図示せず）を使って蓋１Ｆを開閉して抜き差しする事により、絶縁フィルム２３Ｊを電源スイッチ３替わりに使用する事ができる。
【００１３】
図４は杖用照明具２００の斜視図、図５（イ）は図４ｖ−ｖ´の接地状態で感圧スイッチＯＦＦの断面図、図５（ロ）は図４ｖ−ｖ´の非接地状態で感圧スイッチＯＮの断面図、図６は絶縁フィルム２３Ｊの位置を記入した回路図である。
実施例２は、ＬＥＤ光源２２とステップアップ回路５を有する発光回路を備え、電源スイッチを省いた前記開閉する蓋２１Ｆと、電池４と感圧スイッチ２３Ｋを格納しシャフト装着部１Ｑとベルト穴１Ｂha、１Bhbを備えた本体２１およびベルト１Ｂａ、１Ｂbにより概略構成する。
杖用照明具２００は、シャフト装着部１Ｑに収めたシャフトＴＳのゴム足Ｇ直上部にベルト１Ｂa、１Ｂｂで固定して（以下、これをベルト止めという。）使用する物で、杖用照明具２００を発光機能のない杖にベルト止めした後、蓋２１Ｆを開けて電池の自然放電予防のため用いられている絶縁フィルム２３Ｊ（図示せず）を抜いて蓋２１Ｆを閉じるとＯＮになり（以下、これを立ち上げという。）ＬＥＤ光源２２が点灯する。
なお、電源スイッチを省いた杖用照明具２００は、立ち上げ後のＯＮ、ＯＦＦを感圧スイッチ２３Ｋによって行うものだが、電池等前記実施例１００と共通部分の符号は共用した。
【００１４】
感圧スイッチ２３Ｋは、杖先からの圧力により感圧シャフト２３Ｈが上方移動した状態（以下、これを接地という。）であればＯＦＦ、杖先のゴム足Ｇが地上より浮いた状態になれば（以下、これを非接地という。）ＯＮになるもので、杖用照明具２００の立ち上げ後は、感圧スイッチ２３Ｋを使ってＬＥＤ光源２２を点灯、消灯する。
すなわち感圧スイッチ２３Ｋは、接地の圧力でバネ２３Ｓが圧縮されて感圧シャフト２３Ｈが本体の動作空間２１Ｅ内を上方に移動すると、感圧スイッチのバネ端子２３Ｋａがもう一方の端子２３Ｋｂから離れてＯＦＦになり（（図５（イ））、非接地になるとバネ２３Ｓが伸長して感圧シャフト２３Ｈを下方に移動させて感圧シャフトの凸部２３Ｈｔに押された前記端子２３Ｋaが端子２３Ｋｂに接触してＯＮとなりＬＥＤ光源２２が点灯する。（（図５（ロ））
【００１５】
杖付き動作は概して半々または４：６以上で接地時間、すなわち必ずしも照明を必要としない接地時間の方が長いので、感圧スイッチ２３Ｋによって照明が必要な非接地時間だけ前記ＬＥＤ光源２２を点灯（以下、これを必要時点灯という。）することにより接地時間分の節電が出来る。
【００１６】
なお、感圧シャフトは本体内に有る感圧シャフト２３Hにバネ２３Sを備えた外部シャフト２３Hbを螺合したもので、ゴム足Gの長さや杖先の形状によって適合する長さのバネ２３Ｓ付きの外部シャフト２３Hbを選択、使用できる上、外部シャフト２３Ｈｂが変形等の故障をしても容易に修理が出来る。
上記により、杖用照明具２００は、照明が必要な前方と杖突き位置を必要な明るさで必要時点灯する事により、前記事故を予防できる安価にして取付け容易の経済的な杖用照明具となる。
さらに、杖用照明具２００を装着して光る杖化した杖は、例えば杖を使う人が散歩の途中で休憩する時等には杖を接地状態にして置けば前記接地時ＯＦＦとなりＬＥＤ光源２２は消灯する。
また、上記光る杖化した杖は、使用後ステッキ立てに接地状態で立てて置けば前記接地時ＯＦＦと成りＬＥＤ光源２２が消灯するので電源スイッチが無くても結果的に電源ＯＦＦした事に成る。
【００１７】
図７は杖用照明具３００の斜視図、図8は回路図である。（断面図省略）
実施例３は、常灯のＬＥＤ光源２と必要時点灯のＬＥＤ光源２２と電源スイッチ３とステップアップ回路５を有する発光回路と前記開閉可能な蓋３１Ｆおよび感圧スイッチ２３Ｋと電池４を格納し、杖装着部１Ｑとベルト穴１Ｂha、１Ｂhｂを有する本体３１とベルト１Ｂa、１Ｂbにより概略構成する。
杖用照明具３００は、２種類のＬＥＤ光源を使用するもの、すなわち前記実施例1記載の常灯のＬＥＤ光源２と前記実施例２記載の必要時点灯のＬＥＤ光源２２を使用するものである。（図８）
従って、重複部分の図示説明を省略すると共に重複部位の符号は共用する。
杖用照明具３００は、前記常灯のＬＥＤ光源２を点灯して杖接地時無灯火となる事による杖使用者の不安を解消し、さらに使用者の杖動作により前記必要時点灯のＬＥＤ光源２２の光を加えた2倍の光で必要時必要方向を明るく照らして前記事故を予防するものである。
なお、照明具３００に前記電流帰還制御回路を設けると実施例２の接地時の消灯節電に加えて常灯光源も節電する事ができる。
【産業上の利用可能性】
【００１８】
本考案は、安価で取付け簡単な本杖用照明具を普通の杖に後加工で取付けて光る杖化することにより、杖先を明るく照らして前記事故の予防に供するものである。
【符号の説明】
【００１９】
１００・・・実施例１の照明具
２００・・・実施例２の照明具
３００・・・実施例３の照明具
ＴＳ・・・杖のシャフト
Ｇ・・・・ゴム足
１・・・・本体ボックス
１Ｆ・・・蓋部
１Ｐ・・・ヒンジ
１Ｑｃ・・・実施例１のＣ字形杖装着部
１Ｑ・・・杖装着部
１Ｂａ・・・ベルトａ
１Ｂｂ・・・ベルトｂ
１Ｂｓa・・・補助ベルト用の穴ａ
１Ｂｓｂ・・補助ベルト用の穴ｂ
１Ｂｈa・・ベルト穴ａ
１Ｂｈｂ・・ベルト穴ｂ
２・・・ＬＥＤ光源（常灯）
３・・・・防滴カバー付き電源スイッチ
４・・・電池
５・・・ステップアップ回路
２１・・・実施例２の本体
２１Ｆ・・蓋部
２１Ｅ・・動作空間
２２・・・ＬＥＤ光源（必要時点灯）
２３Ｊ・・・絶縁フィルム
２３Ｋ・・・感圧スイッチ（総称）
２３Ｋａ・・感圧スイッチのa端子
２３Ｋb・・感圧スイッチのb端子
２３Ｈ・・・感圧シャフト
２３Ｈｔ・・感圧シャフトの凸部
２３Ｈｂ・・外部シャフト
２３Ｓ・・・バネ
３１・・・実施例３の本体
３１Ｆ・・・実施例３の蓋部
【図１】
0003191028.tif 000003
【図２】
0003191028.tif 000004
【図３】
0003191028.tif 000005
【図４】
0003191028.tif 000006
【図５】
0003191028.tif 000007
【図６】
0003191028.tif 000008
【図７】
0003191028.tif 000009
【図８】
0003191028.tif 000010